(57)【要約】【課題】本発明は、浴槽側の排水と洗い場側の排水とが合流する排水トラップを有する浴室であって、排水トラップ内に流入した殺菌水を長時間、滞留させることが可能で、排水トラップ内の細菌の繁殖を抑制することができる浴室殺菌ユニットを提供する。【解決手段】  浴槽側の排水と洗い場側の排水とが合流する排水トラップを有する浴室に設けられた浴室殺菌ユニットであって、前記制御装置は、前記運転開始操作部が入力された際に、浴槽水の排水状況を確認する確認ステップを経てから、前記殺菌水生成装置で生成された殺菌水を、前記殺菌水吐水部から洗い場床に吐水することを特徴とする浴室殺菌ユニット。【選択図】図１
2009195620.tif 000002
【特許請求の範囲】
【請求項１】
浴槽側の排水と洗い場側の排水とが合流する排水トラップを有する浴室に設けられた浴室殺菌ユニットであって、
殺菌水を生成する殺菌水生成装置と、
前記殺菌水生成装置により生成された殺菌水を洗い場床に吐水する殺菌水吐水部と、
前記殺菌水生成装置で生成された殺菌水を、前記殺菌水吐水部から洗い場床に吐水する洗い場殺菌モードを有する制御装置と、
前記洗い場殺菌モードの運転開始を操作する運転開始操作部と、を備え、
前記制御装置は、前記運転開始操作部が入力された際に、浴槽水の排水状況を確認する確認ステップを経てから、前記殺菌水生成装置で生成された殺菌水を、前記殺菌水吐水部から洗い場床に吐水することを特徴とする浴室殺菌ユニット。
【請求項２】
前記確認ステップは、「現在、浴槽水を排水しているかどうか」を音声または表示して確認することを特徴とする請求項１記載の浴室殺菌ユニット。
【請求項３】
前記確認ステップは、「直ちに、浴槽水を排水するかどうか」を音声または表示して確認することを特徴とする請求項１または請求項２記載の浴室殺菌ユニット。
【請求項４】
前記確認ステップ中に、指令を解除することが可能なキャンセル手段を有していることを特徴とする請求項１〜３いずれかに記載の浴室殺菌ユニット。
【発明の詳細な説明】
【技術分野】
【０００１】
本発明は、浴室の洗い場に殺菌水を吐水して、細菌の発生を抑制する浴室殺菌ユニットに関する。
【背景技術】
【０００２】
従来、殺菌性物質又はイオンを含有する殺菌水を散布して、浴室の細菌の発生を抑制する浴室防汚装置が提案されている（例えば、特許文献１参照。）。
斯かる浴室防汚装置においては、殺菌水を霧状、粒状、流水状等の形態で、浴室壁や洗い場床に散布することにより、細菌に起因する浴室壁や洗い場床の表面に生じる汚れを防止することができることが開示されている。
【特許文献１】特開平９−２２０２７３号公報
【発明の開示】
【発明が解決しようとする課題】
【０００３】
洗い場床や浴室壁に散布された水は、洗い場床上を排水勾配に沿って流れ、洗い場床に形成された排水ピットに集水される。排水ピットの底部には、排水トラップが取設されており、排水トラップ内の封水部からオーバーフローした水は、排水管に排出される。この排水トラップ内には、洗い場側からの水の他に、浴槽内の浴槽水も浴槽排水栓を開くことによって流入するように構成されている。特許文献１のように、洗い場に殺菌水を散布することで排水内の封水部に殺菌水が溜まるため、排水トラップ内の細菌の繁殖を抑制することができる。
【０００４】
しかし、排水トラップ内には浴槽内からの浴槽水も流入するため、洗い場床に殺菌水を散布した後に、皮脂汚れなどを含む浴槽水を排水してしまうと、排水トラップ内に溜まった殺菌水がすぐに排出されてしまうため、排水トラップ内に細菌が繁殖してしまうという問題があった。
【０００５】
本発明は上述の問題に鑑みてなされ、浴槽側の排水と洗い場側の排水とが合流する排水トラップを有する浴室であって、排水トラップ内に流入した殺菌水を長時間、滞留させることが可能で、排水トラップ内の細菌の繁殖を抑制することが可能な浴室殺菌ユニットを提供する。
【課題を解決するための手段】
【０００６】
本発明の一態様によれば、浴槽側の排水と洗い場側の排水とが合流する排水トラップを有する浴室に設けられた浴室殺菌ユニットであって、殺菌水を生成する殺菌水生成装置と、前記殺菌水生成装置により生成された殺菌水を洗い場床に吐水する殺菌水吐水部と、前記殺菌水生成装置で生成された殺菌水を、前記殺菌水吐水部から洗い場床に吐水する洗い場殺菌モードを有する制御装置と、前記洗い場殺菌モードの運転開始を操作する運転開始操作部と、を備え、前記制御装置は、前記運転開始操作部が入力された際に、浴槽水の排水状況を確認する確認ステップを経てから、前記殺菌水生成装置で生成された殺菌水を、前記殺菌水吐水部から洗い場床に吐水することを特徴とする浴室殺菌ユニットを提供する。
【発明の効果】
【０００７】
本発明に係る浴室殺菌ユニットによれば、浴槽側の排水と洗い場側の排水とが合流する排水トラップを有する浴室であって、排水トラップ内に流入した殺菌水を長時間、滞留させることが可能で、排水トラップ内の細菌の繁殖を抑制することができる。
【発明を実施するための最良の形態】
【０００８】
本発明に係る浴室殺菌ユニットの一実施形態について、添付図面を参照して説明する。図１は、本実施形態に係る浴室殺菌システムの全体的な概要を示すものである。
【０００９】
この浴室殺菌システムは、浴槽２と、浴槽２の長辺側に隣接する洗い場床３と、浴槽２側から洗い場床３を隔てて浴槽２に対向する第１の壁面４へ横設された浴室カウンタ５と、浴室殺菌装置１とから構成される。洗い場床３は、排水ピット７内に向かって排水用の下り勾配が取られている。ここで、浴室カウンタ５は、第２の壁面４２に取り付けられており、浴槽２のリム２ａより低い位置に配置されている。
【００１０】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップが取設される排水ピット７が設けられ、排水ピット７上面には、洗い場床上の水が排水ピット７内に流入可能な程度の隙間を空けて排水蓋８が載置される。
【００１１】
浴室殺菌装置１は、制御ボックス（制御装置）１０と、機能ユニット１１と、殺菌水吐水部に該当する散水部１２と、リモコン１３とを備える。
【００１２】
制御ボックス１０は、浴室の天井裏に設置され、リモコン１３からの指示により、機能ユニット１１内の後述する電磁弁及び電解槽（殺菌水生成装置）を制御する。機能ユニット１１は、殺菌水を生成するユニットであり、浴室カウンタ内に内蔵され、その先端には殺菌水を散布する散水ノズル１２が接続される。
【００１３】
リモコン１３は、浴室前の更衣室等の壁面に設置され、スイッチ１３ａとＬＥＤ１３ｂとを備える。スイッチ１３ａをＯＮにすると、浴室殺菌装置１が作動を開始するとともに、ＬＥＤ１３ｂが点灯し、浴室殺菌装置１が作動中であることを表示する。またリモコン１３には、確認手段１３ｃが設けられ、スイッチ１３ａが押されたとき、浴槽水の排水状況を確認する確認ステップを経てから、浴室殺菌装置１が作動を開始する。確認手段の具体例としてはリモコンの前面に形成された表示モニターまたは、音声を発することが可能なスピーカーが挙げられる。
【００１４】
浴室カウンタ５内部には、図２に示すように、洗い場水栓（吐水部）に給水／給湯する給水管１５及び給湯管１６が配管される。このうち給水管１７は、分岐されて、機能ユニット１１に水を供給する水道水導入管１７が接続される。
【００１５】
この水道水導入管１７の途中には止水栓１８が設けられ、この止水栓１８を閉めることにより、機能ユニット１１を取り外す際にも、浴室の通常の使用に支障を来さないようになっている。
【００１６】
水道水導入管１７により導入された水は、機能ユニット１１内において殺菌水に変成され、殺菌水導出管１９を経由して散水部１２へと送られる。
【００１７】
機能ユニット１１は、図３（ａ）に示すように、ケース２０内に、水道水導入管１７に接続する流入口２１を介して順に、電磁弁２２、定流量弁２３、大気開放弁２４、逆止弁２５、及び電解槽２６が連通され、電解槽２６は、流出口２７を介して殺菌水導出管に接続される。ここで、流入口および流出口は浴室カウンターの前端部側に配置されるように取設されており、流入口と流出口の軸はそれぞれ対角位置に配置されている。電解槽を介して流入口と流出口を連通するための管路部は、流入口から浴室カウンターの後端部側に直進する往路部と、流出口から浴室カウンターの後端部側に直進する復路部と、往路部および復路部の浴室カウンター後端部側の端部を連通するためにＵ字状に屈曲すると共に、復路部が往路部に比べて高い位置に配置されるように取り付けられる屈曲部と、を有している。
【００１８】
機能ユニット１１は、ケース２０内にウレタン樹脂２８が充填されて、防水構造とされている。これにより、電気部品の端子部の防水と、通水部からの漏水が防止される。
また、図３（ｂ）に示すように、機能ユニット１１の大きさを最小とすべく、流入ロ２１と流出口２７の軸が、ケース２０の対角に位置するように配設される。
【００１９】
リモコン１３のスイッチ１３ａが押されると、制御ボックス１０からの指示により電磁弁２２が開閉する。そして、電磁弁２２が開くことにより通水され、定流量弁２３により流量が一定に保たれる。これにより、生成される殺菌水の濃度が一定に保たれると同時に、散水部１２から散布される殺菌水の水圧も一定に保たれ、所望の範囲に殺菌水を散布することが可能となる。
【００２０】
通水状態になると、電解槽２６の電極２９に通電が開始され、電極２９の電気分解が行われて銀イオンが発生する。銀イオンを含有する水は殺菌水として散水ノズル１２へ送られる。こうして生成された殺菌水は、逆止弁２５により給水管１５へと逆流することが防止される。
【００２１】
大気開放弁２４は、通電時（電磁弁開）においては閉止状態になって、水が外部に漏出することが防止され、待機時（電磁弁閉）には開放状態になって、逆止弁２５より下流側は空気と置換される。これにより、電解槽２６内に残存水が残ることが防止される。
【００２２】
電解槽２６の電極２９は、銀、銀合金または銀メッキ金属により形成され、電極２９の電気分解が行われると銀イオンが発生する。この電極２９は、図４（ａ）に示すように、電極２９同士が水平になるような位置関係で設置されている。これにより、図４（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００２３】
散水ノズル１２は、図５に示すように、大別して、殺菌水導出管１９に接続されるボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図７参照。）。回転体３１はこのように取り外し可能かつ分解可能に形成されているので、その内部及びボディ３０の先端を清掃することができる。
【００２４】
回転体３１（の下側部材３３）には、図６（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００２５】
これらのうち、液体噴出孔３３ａは、図６（ｂ）に示すように、水平に開口するものの、液体噴出孔３３ｂは、図６（ｃ）に示すように、仰角４°に開口する。また、液体噴出孔３３ｃは、図６（ｄ）に示すように、仰角８°に、液体噴出孔３３ｄは、図６（ｄ）に示すように、仰角１２°にそれぞれ開口する。
【００２６】
これにより、洗い場床３の散水部近傍から遠方まで、万遍なく散布することができる。なお、各液体噴出孔の仰角は、散布する洗い場床の広さに応じて適宜決定される。
ところで、ボディ３０の先端は、図７に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００２７】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００２８】
本実施の形態に係る浴室殺菌システムは上記のように構成されており、以下その殺菌水散布状態について説明する。図８は、殺菌水の散布状態を示す平面図であり、図９は同立面図である。
【００２９】
図８に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って殺菌水を散布することが可能となる。
【００３０】
これに対し、図８に示すＦのエリアには、殺菌水は直接散布されない。このエリアには、図９に示すように、散水ノズル１２より奥側で浴室カウンタが取設される第２の壁面４２、第２の壁面近傍側の第１の壁面４、または第２の壁面近傍側のバスエプロン６に当たり跳ね返った水、及び跳ね返った後そこから洗い場床３の勾配に沿って流れ下る殺菌水により洗浄される。このように、散水ノズル１２が回転して吐水する形態であるため、散水ノズルから離れたエリアＧ，Ｈ，Ｉ，Ｊエリア用の液体噴出孔を設けておけば、必然的に散水ノズル１２近傍の洗い場床上は、大量の殺菌水が流れることになる。これにより、洗い場床上全面に殺菌水を行き渡らせることが可能となる。特に、水道圧力のみで、散水ノズル１２遠方側まで殺菌水を散布するためには、液体噴出孔の総孔面積に限界があるが、本実施形態では、散水ノズルから離れたエリアＧ，Ｈ，Ｉ，Ｊエリア用の液体噴出孔のみで足りるため、水道水圧のみで洗い場床の全面に殺菌水を行き渡らせることができる。
【００３１】
この点、散水ノズル１２は、浴槽２と洗い場床３を隔てて対向する壁面４近傍、すなわち、排水ピット７と対角位置となるに水上に取設されるので、散水ノズル近傍においても殺菌水が廻らないエリアはない。
【００３２】
また、散水ノズル１２は、浴室カウンタ５下部に取設されるので、浴室カウンタ５下部が陰になって、殺菌水が廻らないということもない。
【００３３】
他方、液体噴出口３３ｄの仰角は一定以下に抑えられるので、無闇に広いエリアに散布することはなく、経済的であるばかりでなく、図９に示すように、殺菌水は最高位置でも浴槽２のリム２ａの高さを超えないので、風呂蓋に殺菌水がかかることもない。
【００３４】
さらに、殺菌水は、バスエプロン６に向かっても散布されるので、図１０に示すように、排水ピット７上の排水蓋８とバスエプロン６との間にできる隙間には、バスエプロン６に当たって流れ落ちる殺菌水によって洗浄される。このように、洗い場床３を流れ落ちる殺菌水だけでは網羅できないエリア（排水ピットにおけるバスエプロン６側の端辺であって、特にその中央付近は洗い場床上を流れた殺菌水が流れにくい。）も洗浄することができる。
【００３５】
図１１に排水トラップの構造を示した。浴槽２側と洗い場３側との排水が合流する、いわゆるワントラップ構造の排水トラップである。本排水トラップ構造は、上部に洗い場排水流入口を有する碗状のトラップ本体と、トラップ本体内に挿入された状態で取り付けられる排水トラップ封水筒１００と、排水管を接続するためのトラップ本体側面に形成された排水流出口５４と、浴槽２底面に形成された浴槽排水口５１に連通する浴槽排水管５２を接続するためのトラップ本体側面に形成された浴槽水流入口５３とを備えている。オーバーフロー部５５からオーバーフローした排水が、排水流出口５４から排出される構造となっている。常時、約１〜２Ｌの排水トラップ封水５０が、トラップ部に存在している。このようなワントラップ構造の合流型排水トラップは、浴室内に１つの排水トラップのみが設置されるため、本発明により確実な殺菌を行うことができる。
【００３６】
図１２、図１３は本発明に関わる浴室殺菌システムのフローチャートを表す。
図１２は、洗い場殺菌ＳＷがＯＮされると、音声で「現在、浴槽水を排水していますか」と確認手段が作動する。音声とともに確認手段１３ｃに、上記の言語を表示しても良い。浴槽水の排水を行っていない場合は、洗い場殺菌ＳＷを再度押してもらい、「ただちに殺菌水吐水を開始します」と音声および表示され、電磁弁が開き、殺菌水の吐水が開始する（洗い場殺菌モードの開始）。電磁弁を開、殺菌水生成装置の運転開始と同時に、タイマーを作動させ、タイマーが所定時間をカウントしたら、電磁弁を閉じ、殺菌水生成装置を停止し、運転を終了する（洗い場殺菌モードの終了）。殺菌水を吐水する所定時間は、洗い場全面を万遍なく洗浄し、排水トラップ内の水をほぼ完全に置換する時間Ｔ0に設定する。上記確認手段により、浴槽水の排水を行っている場合は、使用者は図示しないキャンセル手段を操作することで、音声で「Ｘ分後に、殺菌水吐水を開始します」とお知らせし、Ｘ分経過後に、電磁弁を開き、殺菌水の吐水を開始する。Ｘ分は、浴槽水の排水が完了するに十分な時間を設定する。
【００３７】
図１３は、洗い場殺菌ＳＷがＯＮされると、音声で「直ちに、浴槽水を排水しますか」と確認手段が作動する。音声とともに確認手段１３ｃに、上記の言語を表示しても良い。直ちに浴槽水の排水を行なわない場合は、洗い場殺菌ＳＷを再度押してもらい、直ちに電磁弁を開き、殺菌水の吐水を開始する（洗い場殺菌モードの実行）。電磁弁を開、殺菌水生成装置の運転開始と同時に、タイマーを作動させ、タイマーが所定時間をカウントしたら、電磁弁を閉じ、殺菌水生成装置を停止し、運転を終了する（洗い場殺菌モードの終了）。殺菌水を吐水する所定時間は、洗い場全面を万遍なく洗浄し、排水トラップ内の水をほぼ完全に置換する時間Ｔ0に設定する。上記確認手段により、浴槽水の排水を行なう場合は、音声で「浴槽水排水により、殺菌水が薄まってしまいます」とお知らせし、「Ｘ分後に、殺菌水吐水を開始します」とお知らせし、Ｘ分経過後に、電磁弁を開き、殺菌水の吐水を開始する。Ｘ分は、浴槽水の排水が完了するに十分な時間を設定する。もしくは、音声で「浴槽水排水により、殺菌水が薄まってしまいます」とお知らせし、続いて「殺菌水吐水をキャンセルします」とお知らせし、洗い場殺菌モードの運転指令を消去しても良い。
【００３８】
本実施例における好ましい殺菌水としては、銀イオン水を挙げることができる。銀イオンは、細菌の細胞膜にある酵素に吸着し、酵素の作用を阻害するため、細菌が生命維持できなくなると言われている。接触する基材表面をコートする作用もあり、細菌が基材表面で繁殖しにくくなる。反応性の良い殺菌剤では、殺菌剤は瞬時に反応してしまい、抗菌力の持続性という点では課題があった。その点、銀イオンは基材表面をコートして、細菌の付着を防ぐことができ、かつ殺菌力を有しているため、基材表面での細菌の増殖を効果的に抑制できる。その際、排水トラップの置換率を高める洗浄方法と組み合わせることで、長期間、洗い場床と排水口のヌメリ、ニオイを抑制することが可能となる。
【００３９】
もちろん、銀イオン以外の殺菌性物質又はイオンを含有する水を使用不可として排除するものではない。具体的には、遊離塩素、抗菌性金属（例えば、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液なども使用を想定することは可能である。
【００４０】
また、本発明は、上の実施例に示した洗い場殺菌水吐水に限定されるものではない。浴槽内を殺菌水で殺菌する形態、浴室全体に殺菌水を散布する形態等も本発明の実施形態に含まれる。
【００４１】
尚、上述した本実施形態による浴室殺菌ユニットによれば、以下の効果が得られる。
浴槽側の排水と洗い場側の排水とが合流する排水トラップを有する浴室であって、排水トラップ内に流入した殺菌水を長時間、滞留させることが可能で、排水トラップ内の細菌の繁殖を抑制することができる。
【００４２】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００４３】
【図１】本発明に係る浴室殺菌システムの一実施形態の全体概要を示す図。
【図２】浴室カウンタ裏面に取設された機能部を示す図で、（ａ）は平面図、（ｂ）は正面図、（ｃ）は側面図。
【図３】機能部の詳細を示す図で、（ａ）は正面図、（ｂ）は側面図図。
【図４】銀電極の配置を模式的に説明する図。
【図５】散水ノズルの構成を示す図。
【図６】散水ノズルの回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図７】散水ノズルの分解断面図。
【図８】殺菌水の散布状態を示す平面図。
【図９】殺菌水の散布状態を示す立面図。
【図１０】排水ピット廻りにおける殺菌水の散布状態を示す斜視図。
【図１１】排水トラップ封水を表す模式図。
【図１２】浴槽水の排水状況を確認する確認ステップを経てから、殺菌水吐水を行うフローチャート。
【図１３】浴槽水の排水状況を確認する確認ステップを経てから、殺菌水吐水を行うフローチャート。
【符号の説明】
【００４４】
１  浴槽殺菌装置
２  浴槽
２ａ  リム
３  洗い場床
４  第１の壁面
５  浴室カウンタ
６  バスエプロン
７  排水ピット
８  排水蓋
１０  制御ボックス
１１  機能ユニット
１２  散水ノズル
１３  リモコン
１３ａ  スイッチ
１３ｂ  ＬＥＤ
１３ｃ  確認手段
１５  給水管
１６  給湯管
１７  水道水導入管
１８  止水栓
１９  殺菌水導出管
２０  ケース
２１  流入口
２２  電磁弁
２３  定流量弁
２４  大気開放弁
２５  逆止弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
４２  第二の壁面
５０  排水トラップ封水
５１  浴槽排水口
５２  浴槽排水管
５３  浴槽水流入口
５４  排水流出口
５５  オーバーフロー部
１００  排水トラップ封水筒
【図１】
2009195620.tif 000003
【図２】
2009195620.tif 000004
【図３】
2009195620.tif 000005
【図４】
2009195620.tif 000006
【図５】
2009195620.tif 000007
【図６】
2009195620.tif 000008
【図７】
2009195620.tif 000009
【図８】
2009195620.tif 000010
【図９】
2009195620.tif 000011
【図１０】
2009195620.tif 000012
【図１１】
2009195620.tif 000013
【図１２】
2009195620.tif 000014
【図１３】
2009195620.tif 000015